(57)【要約】      （修正有）【課題】実生活において屋上がより有効に利用されやすい屋外階段付き建物を提供する。【解決手段】最上階、又は最上階の直下の階に、上方が開放された開放領域１１ａを有するベランダ１１を備え、ベランダ１１は、キッチンセットを有する居室、又は居室に隣接して互いに行き来可能な他の居室に隣接するとともに、ベランダ１１に隣接する居室又はベランダに隣接する他の居室との間を区画する外周壁１２に、人が通行可能な開口部を有するものであって、陸屋根１５は、平面視において開放領域１１ａに隣接する歩行領域１５ａを備え、歩行領域１５ａにおける開放領域１１ａに望む側に、歩行領域１５ａと開放領域１１ａとを連絡する屋外階段１７を備えることを特徴とする。【選択図】図１
2016166496.tif 000002
【特許請求の範囲】
【請求項１】
最上階の屋根が陸屋根である複数階建ての建物において、
前記最上階、又は該最上階の直下の階に、上方が開放された開放領域を有するベランダを備え、該ベランダは、キッチンセットを有する居室、又は該居室に隣接して互いに行き来可能な他の居室に隣接するとともに、該ベランダに隣接する該居室又は該ベランダに隣接する該他の居室との間を区画する外周壁に、人が通行可能な開口部を有するものであって、
前記陸屋根は、平面視において前記開放領域に隣接する歩行領域を備え、
前記歩行領域における前記開放領域に望む側に、該歩行領域と該開放領域とを連絡する屋外階段を備える屋外階段付き建物。
【請求項２】
前記歩行領域は、前記屋外階段が接続する領域を除いた全周に柵を備える請求項１に記載の屋外階段付き建物。
【請求項３】
前記陸屋根は、前記歩行領域を除く領域に、太陽光利用装置を設置可能な敷設領域を備える請求項２に記載の屋外階段付き建物。
【請求項４】
前記柵の位置、材質、及び形状の少なくとも一つは、太陽光による該柵の影が前記太陽光利用装置のエネルギー取得効率に影響を及ぼさないように設定されてなる請求項３に記載の屋外階段付き建物。
【請求項５】
前記外周壁から前記ベランダ側に突き出す突設部を有し、該突設部に前記歩行領域の少なくとも一部が形成されており、前記屋外階段は、該突設部における該歩行領域に接続されている請求項１に記載の屋外階段付き建物。
【発明の詳細な説明】
【技術分野】
【０００１】
本発明は、屋外に面した階段を有する屋外階段付き建物に関するものである。
【背景技術】
【０００２】
従来、この種の屋外階段付き建物としては、例えば特許文献１に示されるような建物が知られている。特許文献１の屋外階段付き建物は、最上階の屋根が陸屋根であって、最上階に設けたベランダとこの陸屋根とを連絡する屋外階段を設けて、陸屋根に登ることができるようにしている。
【先行技術文献】
【特許文献】
【０００３】
【特許文献１】特開２０００−６４６３６号公報
【発明の概要】
【発明が解決しようとする課題】
【０００４】
しかしながら、従来の屋外階段付き建物は、陸屋根に登ることができるとはいっても使用頻度がそれ程高いわけではなく、実生活において屋上が有効に利用されていないのが現状であった。これは、建物の居室と陸屋根が直接的に連絡していないことだけでなく、ベランダと陸屋根とが一体感をもって使用されにくいことも原因の一つであると考えられる。すなわち、特許文献１の図１に示されているように、ベランダと陸屋根とは平面視において隣接しているものの、屋外階段は陸屋根の中央部付近と連絡しているため、陸屋根に登った人とベランダにいる人とが顔を合わせるには、陸屋根に登った人がベランダに望む側に移動しなければならない。このため、陸屋根に登った人とベランダにいる人とのコミュニケーションが取りづらく、２つの空間は一体感を欠いた状態になっている。
【０００５】
本発明は、このような問題点を解決することを課題とするものであり、実生活において屋上がより有効に利用されやすい屋外階段付き建物を提供することを目的とする。
【課題を解決するための手段】
【０００６】
本発明は、最上階の屋根が陸屋根である複数階建ての建物において、前記最上階、又は該最上階の直下の階に、上方が開放された開放領域を有するベランダを備え、該ベランダは、キッチンセットを有する居室、又は該居室に隣接して互いに行き来可能な他の居室に隣接するとともに、該ベランダに隣接する該居室又は該ベランダに隣接する該他の居室との間を区画する外周壁に、人が通行可能な開口部を有するものであって、前記陸屋根は、平面視において前記開放領域に隣接する歩行領域を備え、前記歩行領域における前記開放領域に望む側に、該歩行領域と該開放領域とを連絡する屋外階段を備える屋外階段付き建物である。
【０００７】
前記歩行領域は、前記屋外階段が接続する領域を除いた全周に柵を備えることが好ましい。
【０００８】
前記陸屋根は、前記歩行領域を除く領域に、太陽光利用装置を設置可能な敷設領域を備えることが好ましい。
【０００９】
前記柵の位置、材質、及び形状の少なくとも一つは、太陽光による該柵の影が前記太陽光利用装置のエネルギー取得効率に影響を及ぼさないように設定されることが好ましい。
【００１０】
前記外周壁から前記ベランダ側に突き出す突設部を有し、該突設部に前記歩行領域の少なくとも一部が形成されており、前記屋外階段は、該突設部における該歩行領域に接続されていることが好ましい。
【発明の効果】
【００１１】
本発明では、ベランダが、キッチンセットを有する居室や、この居室と行き来可能な他の居室と隣接している。すなわち、多くの居住者が長時間在室する部屋にベランダが隣接しているので、ベランダを使用する頻度が高くなる結果、陸屋根に登る機会も増えることになる。しかも、陸屋根の歩行領域とベランダの開放領域とを連絡する屋外階段は、歩行領域における開放領域を望む側に設けているので、陸屋根に登った後でもすぐにベランダの人と顔を合わせることができる。このため、ベランダと陸屋根との一体的な使用が可能になり、屋上をより有効に利用することができる。
【図面の簡単な説明】
【００１２】
【図１】本発明に従う屋外階段付き建物の第一実施形態につき、その屋上を示す平面図である。
【図２】第一実施形態における正面図である。
【図３】第一実施形態における左側面図である。
【図４】第一実施形態における右側面図である。
【図５】第一実施形態における２階の横断面図である。
【図６】本発明に従う屋外階段付き建物の第二実施形態につき、その屋上を示す平面図である。
【図７】第二実施形態における正面図である。
【図８】第二実施形態における左側面図である。
【図９】第二実施形態における右側面図である。
【図１０】第二実施形態における２階の横断面図である。
【発明を実施するための形態】
【００１３】
以下、図１〜図５を参照しつつ、本発明に従う屋外階段付き建物の第一実施形態について詳細に説明する。なお便宜上、図１の上方向を北側として説明する。また、建物の正面は南側とし、建物の左右は正面に向かった方向として説明する。
【００１４】
本実施形態の建物１は、２階建ての住宅である。建物１の１階部分の正面側には、図２に示す玄関ドア２が設けられている。
【００１５】
図５に示すように建物１の２階部分には、１階部分に連絡する階段（屋内階段）３が設けられている。屋内階段３は、居室４につながっている。居室４には、建物１の中央南側にあたる位置にキッチンセット５が設けられている。本実施形態の居室４は、テーブルセット６やソファー７等を配置可能な、リビングダイニングキッチンとして使用できるように設けられている。なお、居室４の東側には、浴室８、洗面室９、トイレ１０が設けられている。
【００１６】
居室４の南西側には、居室４に隣接してベランダ１１が設けられている。本実施形態のベランダ１１は、図５に示すように平面視において矩形状である。居室４とベランダ１１とは外周壁１２で区画されている。外周壁１２には、人が通行可能な開口部１３が設けられていて、居室４とベランダ１１との間を人が行き来することができる。開口部１３としては、例えば掃き出し窓やドア等を挙げることができる。本実施形態では、北側の外周壁１２ａにスライド式の掃き出し窓１３ａが設けられていて、東側の外周壁１２ｂにアコーディオン式の掃き出し窓１３ｂが設けられている。なお、ベランダ１１の南側、及び西側は、建物の外部壁１４で区画されている。
【００１７】
図１に示すように建物１の屋根は、水平方向に平坦な陸屋根１５として設けられている。陸屋根１５は、南西側が矩形状に切り欠かれるように設けられていて、ベランダ１１の中央部に、上方が開放された開放領域１１ａを形成している。本実施形態の陸屋根１５は、外周壁１２から庇のように延出する突設部１６を備えている。なお、突設部１６は陸屋根１５とは別異に設けたキャンティ屋根部や、ロッジア上部屋根として設けてもよい。本実施形態の突設部１６は、掃き出し窓１３ａの上方を覆う北側の突設部１６ａと、掃き出し窓１３ｂの上方を覆う東側の突設部１６ｂで構成されている（図５参照）。また、前述の外部壁１４は、図２、図３に示すようにその上端が、陸屋根１５と同じ高さに位置している。
【００１８】
陸屋根１５には、人が活動することができる歩行領域１５ａが設けられている。図１に示すように歩行領域１５ａは、平面視において開放領域１１ａに隣接するように設けられている。本実施形態では、北側の突設部１６ａに重なるように歩行領域１５ａを設けている。
【００１９】
また、図１に示すように歩行領域１５ａにおける開放領域１１ａに望む側には、歩行領域１５ａと開放領域１１ａとを連絡する屋外階段１７が設けられている。本実施形態の屋外階段１７は、西側の桁面が西側の外部壁１４に沿うように直線状に設けられている。なお、本実施形態においては、歩行領域１５ａが北側の突設部１６ａに重なるように設けられているため、図５に示すように屋外階段１７は、掃き出し窓１３ａに対して南側に間隔をあけて設けられることになる。これにより、掃き出し窓１３ａを設置する位置の自由度が高まる他、掃き出し窓１３ａから出入りする際の圧迫感を抑制することができ、また屋外階段１７が掃き出し窓１３ａに及ぼす影の影響を抑えることができる。また屋外階段１７は、図５に示すように北側の突設部１６ａに対し、平面視において直交するように設けられている。このように設けることで、屋外階段１７と北側の突設部１６ａとの左右方向で絡む長さが短くなるため、上述した掃き出し窓１３ａを設置する位置の自由度が高まる効果や、掃き出し窓１３ａから出入りする際の圧迫感を抑制することができる効果、屋外階段１７が掃き出し窓１３ａに及ぼす影の影響を抑える効果を、より高めることができる。
【００２０】
歩行領域１５ａには、屋外階段１７が接続する領域を除いた全周に、柵１８が設けられている。本実施形態の柵１８は、図２、図３に示すように、上下方向に対をなす横桟１８ａの間に複数の縦桟１８ｂを設けて構成している。
【００２１】
また、図１に示すように陸屋根１５における歩行領域１５ａを除く領域には、太陽光利用装置１９を設置可能な敷設領域１５ｂが設けられている。太陽光利用装置１９としては、例えば太陽電池パネルや太陽熱温水器の集熱器、蓄熱暖房設備の集熱器等が挙げられる。本実施形態の敷設領域１５ｂには、複数の太陽電池パネル１９ａと、太陽熱温水器の集熱器１９ｂが設けられている。
【００２２】
そして本実施形態では、太陽光利用装置１９に対して柵１８を北西側に設けていることから、太陽光による柵１８の影が太陽光利用装置１９にかかる時間が短くなり、またその範囲も小さくなる。これによって、柵１８の影が太陽光利用装置１９のエネルギー取得効率に大きく影響しないようにしている。柵１８に対して太陽光利用装置１９を上方に設ける場合も、太陽光利用装置１９に対して柵１８の影がかかりにくくなる。また柵１８は、横桟１８ａと縦桟１８ｂによって枠状に設けられているので、影の面積も小さくなる。これにより、太陽光利用装置１９におけるエネルギー取得効率への影響がより小さくなる。なお、透明或いは半透明の材質で柵１８を形成することによっても、エネルギー取得効率への影響を小さくすることができる。
【００２３】
このように構成される建物１にあっては、キッチンセット５を設けた居室４には多くの居住者が長時間在室することになる。これにより、居室４に隣接するベランダ１１を使用する頻度も高くなるため、屋外階段１７を使用して歩行領域１５ａに登る機会も増えることになる。また屋外階段１７は、掃き出し窓１３ｂの正面に位置するように設けられているため、居室４からでも視認しやすいことから屋外階段１７を利用するきっかけが生まれる。また屋外階段１７は、歩行領域１５ａにおける開放領域を望む側に設けていて、歩行領域１５ａに登った後でもすぐにベランダ１１の人と顔を合わせられるため、ベランダ１１と歩行領域１５ａとを一体的に利用することができる。これらの効果によって、歩行領域１５ａを使用する場面をより増やすことができる。
【００２４】
また屋外階段１７は、建物の外側に位置する西側の桁面が外部壁１４に沿って設けられており、昇降の際に地上が見えにくくなっている。このため、高所が苦手な人にとっても屋外階段１７を利用しやすくなる。なお、屋外階段１７の西側の桁面は、外部壁１４との間で二重構造になる壁であってもよく、また、北側の突設部１６ａに対して入隅形状となる壁であってもよい。
【００２５】
また陸屋根１５に、歩行領域１５ａと敷設領域１５ｂを併設することによって、建物１の屋上が多目的に利用できることから、建物１の価値を高めることができる。しかも、歩行領域１５ａに登ることができるため、太陽光利用装置１９の維持管理や修理が容易に行えるようになる。ここで、歩行領域１５ａに給水装置を設けておけば、太陽光利用装置１９の受光面を洗浄することができるため、エネルギー取得効率を一層高めることができる。なお、屋上の利用効率を考慮すると、歩行領域１５ａよりも敷設領域１５ｂを広くすることが好ましい。また、使い勝手を考慮すると、歩行領域１５ａの面積は概ね３ｍ2以上１３ｍ2以下とすることが好ましい。
【００２６】
次に、本発明の第二実施形態について、図６〜図１０を参照しつつ説明する。なお、第一実施形態と共通する機能を有する部位については、同一の符号を付して詳細な説明は省略する。
【００２７】
本実施形態の建物２１は、先に説明したベランダ１１に対して、図６、図９に示すように西側に幅を広げたベランダ２２を備えている。ベランダ２２も、ベランダ１１と同様に、上方が開放された開放領域２２ａを備えている。また先の実施形態では、ベランダ１１の南側、及び西側は、背の高い建物の外部壁１４で区画していたが、ベランダ２２は、背の低い手摺り壁２３で区画している。更に太陽光利用装置１９は、複数の太陽電池パネル１９ａのみとし、先に述べた実施形態よりも柵１８から離隔するように設けている。
【００２８】
また建物２１は、先に説明した直線状の屋外階段１７に替えて、螺旋状の屋外階段２４を備えている。螺旋状の屋外階段２４も、掃き出し窓１３ａに対して南側に間隔をあけて設けられ、また北側の突設部１６ａに対し、平面視において直交するように接続されている。これによって本実施形態でも、先の実施形態で説明したような、掃き出し窓１３ａを設置する位置の自由度が高まる効果等を得ることができる。また屋外階段２４は、西側の手摺り壁２３に対してベランダ２２の中央寄りに設けられており、昇降の際に地上が見えにくくなっている。よって、先に述べた屋外階段１７と同様に、高所が苦手な人にとっても利用しやすくなる。
【００２９】
建物２１においても、ベランダ２２が居室４に隣接しており、屋外階段２４が歩行領域１５ａにおける開放領域を望む側に設けられていることから、歩行領域１５ａが利用しやすくなる。
【００３０】
本発明に従う屋外階段付き建物は、上述した実施形態に限定されるものではなく、特許請求の範囲に従う範囲で種々の変更が可能である。例えば、上述した実施形態は２階建て住宅であったが、３階以上の建物に転用することもできる。また屋外階段が連絡するベランダは、最上階のみならず、最上階の直下の階に設けてもよい。また、ベランダが隣接する部屋は、上述したキッチンセットを有する居室の他、キッチンセットを有する居間に隣接して互いに行き来可能な他の居間であってもよい。
【符号の説明】
【００３１】
１：建物
２：玄関ドア
３：屋内階段
４：居室
５：キッチンセット
６：テーブルセット
７：ソファー
８：浴室
９：洗面室
１０：トイレ
１１：ベランダ
１１ａ：開放領域
１２：外周壁
１２ａ：北側の外周壁
１２ｂ：東側の外周壁
１３：開口部
１３ａ：スライド式の掃き出し窓
１３ｂ：アコーディオン式の掃き出し窓
１４：外部壁
１５：陸屋根
１５ａ：歩行領域
１５ｂ：敷設領域
１６：突設部
１６ａ：北側の突設部
１６ｂ：東側の突設部
１７：屋外階段
１８：柵
１８ａ：横桟
１８ｂ：縦桟
１９：太陽光利用装置
１９ａ：太陽電池パネル
１９ｂ：集熱器
２１：建物
２２：ベランダ
２２ａ：開放領域
２３：手摺り壁
２４：屋外階段
【図１】
2016166496.tif 000003
【図２】
2016166496.tif 000004
【図３】
2016166496.tif 000005
【図４】
2016166496.tif 000006
【図５】
2016166496.tif 000007
【図６】
2016166496.tif 000008
【図７】
2016166496.tif 000009
【図８】
2016166496.tif 000010
【図９】
2016166496.tif 000011
【図１０】
2016166496.tif 000012